(57)【要約】【課題】本発明は、支柱の基礎脚への締結強度を向上可能な冷凍装置ユニットを提供することを目的とする。【解決手段】室外機２０は、底フレーム４９と、基礎脚６０と、支柱４３とを備える。基礎脚６０は、接地面に当接する底板６１を含み、底フレーム４９を支持する。支柱４３は、基礎脚６０に締結され、基礎脚６０の底板６１と交差する方向に延びる。基礎脚６０の底板６１は、底板６１から立ち上がる第１上向支持部６１ａを有する。支柱４３は、基礎脚６０の第１上向支持部６１ａに締結部材６６ａを介して締結されている。【選択図】図１０
2016099039.tif 000002
【特許請求の範囲】
【請求項１】
底フレーム（４９）と、
接地面に当接する底板（６１）を含み、前記底フレームを支持する基礎脚（６０）と、
前記基礎脚に締結され、前記基礎脚の底板と交差する方向に延びる支柱（４３）と、
を備え、
前記基礎脚の底板は、前記底板から立ち上がる上向支持部（６１ａ、６１ｂ）を有し、
前記支柱は、前記基礎脚の上向支持部に締結部材（６６ａ、６６ｂ）を介して締結されている、冷凍装置ユニット（２０）。
【請求項２】
前記上向支持部は、前記基礎脚の底板の一部を折り曲げることにより形成されている、請求項１に記載の冷凍装置ユニット。
【請求項３】
前記基礎脚は、前記底板と交差する側面部（６３）をさらに含み、
前記基礎脚の側面部は、前記上向支持部と交差する方向に前記側面部の一部を折り曲げることにより形成される横向支持部（６３ａ）を有しており、
前記支柱は、前記基礎脚の横向支持部に締結部材（６６ｃ）を介してさらに締結されている、請求項１又は２に記載の冷凍装置ユニット。
【請求項４】
前記上向支持部は、支持板状面（６１ａ―１、６１ｂ―１）を有しており、
前記支柱は、前記支持板状面に接触する支柱板状面（４３ａ−１、４３ｂ−１）を有しており、
前記支持板状面と前記支柱板状面との接触部分において、前記支柱が前記基礎脚の上向支持部に前記締結部材を介して締結されている、請求項１〜３のいずれかに記載の冷凍装置ユニット。
【請求項５】
前記上向支持部は、前記基礎脚の延びる方向と交差する第１支持板状面（６１ａ−１）を有する第１上向支持部（６１ａ）と、前記第１支持板状面と交差する第２支持板状面（６１ｂ−１）を有する第２上向支持部（６１ｂ）と、を有し、
前記支柱は、前記第１支持板状面に接触する第１支柱板状面（４３ａ−１）を有する第１支柱板（４３ａ）と、前記第２支持板状面に接触する第２支柱板状面（４３ｂ−１）を有する第２支柱板（４３ｂ）と、を有している、請求項１〜４のいずれかに記載の冷凍装置ユニット。
【請求項６】
前記支柱は複数であり、
前記底フレームに対向し、複数の前記支柱の上端と締結部材（７１ａ〜７１ｅ）により締結されている天板（４１）をさらに備える、請求項１〜５のいずれかに記載の冷凍装置ユニット。
【発明の詳細な説明】
【技術分野】
【０００１】
本発明は、冷凍装置ユニットに関する。
【背景技術】
【０００２】
特許文献１（特開２０１３−１１３５６３号公報）には、例えばビルに設置される空気調和機の室外機が開示されている。特許文献１の室外機では、略直方体状の箱体の内部に、圧縮機、室外熱交換器及びファン等が収納されている。この室外機の箱体は、底フレーム、天板、支柱、基礎脚及び側面パネル等を有する。底フレームは、接地面に面しており、四角形状である。天板は、底フレームに対向して箱体上部に設けられており、底フレームと同様に四角形状である。支柱は、底フレームの４隅から天板に向かって上下方向に延びている。基礎脚は、接地面に接触する２本の長尺状の部材であり、底フレームの対向する２辺に設けられている。側面パネルは、箱体の側面の所定箇所を覆うパネルである。
【０００３】
特許文献１では、２本の基礎脚の両端部に、つまり２本の基礎脚の４箇所の端部に、支柱が締結される。具体的には、基礎脚の端部には、室外機の内側から外側、つまり水平方向に屈曲する支持板が設けられている。支持板には、ねじ孔が形成されている。一方、支柱には、支柱を基礎脚に締結するための取付板が設けられている。取付板には、ボルト挿入孔が形成されている。支持板のねじ孔と取付板のボルト挿入孔とを一致させ、ボルトを挿入することで、基礎脚の端部に支柱を締結する。
【発明の概要】
【発明が解決しようとする課題】
【０００４】
しかし、特許文献１においては、基礎脚の支持板が水平方向に屈曲して形成されている。よって、基礎脚の支持板は、基礎脚の底面から浮いた状態となっており、その屈曲方向である水平方向に揺動し易い。そのため、支柱を基礎脚の支持板に締結しても、支柱が回転して、室外機の箱体が変形し易い。
【０００５】
そこで、本発明は、支柱の基礎脚への締結強度を向上可能な冷凍装置ユニットを提供することを目的とする。
【課題を解決するための手段】
【０００６】
本発明の第１観点に係る冷凍装置ユニットは、底フレームと、基礎脚と、支柱とを備える。基礎脚は、接地面に当接する底板を含み、底フレームを支持する。支柱は、基礎脚に締結され、基礎脚の底板と交差する方向に延びる。基礎脚の底板は、底板から立ち上がる上向支持部を有する。支柱は、基礎脚の上向支持部に締結部材を介して締結されている。
【０００７】
上記構成によれば、上向支持部は底板に直結しつつ立ち上がるため、上向支持部の剛性を高めることができる。よって、支柱の基礎脚への締結強度を向上することができる。
【０００８】
また、支柱は、底板を含む面に沿う方向に揺動しにくい上向支持部と締結されるため、支柱が底板を含む面に沿う方向に揺動するのを抑制できる。これにより、支柱の揺動を抑えて支柱を基礎脚に安定的に締結することができる。
【０００９】
また、上記構成によれば支柱を基礎脚に安定的に締結できるため、冷凍装置ユニット全体の捩れ変形を抑制できる。よって、隣接する支柱間に捩れ変形防止のための補強板を設ける必要が無い。そのため、冷凍装置ユニット全体のコストを抑制することができる。
【００１０】
本発明の第２観点に係る冷凍装置ユニットは、第１観点に係る冷凍装置ユニットにおいて、上向支持部は、基礎脚の底板の一部を折り曲げることにより形成されている。
【００１１】
上記構成によれば、上向支持部を底板の一部により形成するため、基礎脚が支柱を支持する力が大きく、支柱を基礎脚に安定的に締結することができる。また、上向支持部を底板の一部により形成するため、基礎脚のコストを抑制できる。
【００１２】
本発明の第３観点に係る冷凍装置ユニットは、第１又は第２観点に係る冷凍装置ユニットにおいて、基礎脚は、底板と交差する側面部をさらに含む。基礎脚の側面部は、横向支持部を有している。横向支持部は、上向支持部と交差する方向に側面部の一部を折り曲げることにより形成される。支柱は、基礎脚の横向支持部に締結部材を介してさらに締結されている。
【００１３】
上記構成によれば、支柱と基礎脚との締結箇所を増やすことで、支柱と基礎脚との締結強度を高めることができる。
【００１４】
本発明の第４観点に係る冷凍装置ユニットは、第１〜第３観点のいずれかに係る冷凍装置ユニットにおいて、上向支持部は、支持板状面を有している。支柱は、支持板状面に接触する支柱板状面を有している。支持板状面と支柱板状面との接触部分において、支柱が基礎脚の上向支持部に締結部材を介して締結されている。
【００１５】
上記構成によれば、基礎脚の上向支持部と支柱とが面で接触するため、接触面積を大きくできる。これにより、支柱を基礎脚に安定的に締結することができる。
【００１６】
本発明の第５観点に係る冷凍装置ユニットは、第１〜第４観点のいずれかに係る冷凍装置ユニットにおいて、上向支持部は、第１上向支持部と、第２上向支持部と、を有する。第１上向支持部は、基礎脚の延びる方向と交差する第１支持板状面を有する。第２上向支持部は、第１支持板状面と交差する第２支持板状面を有する。支柱は、第１支柱板と、第２支柱板と、を有している。第１支柱板は、第１支持板状面に接触する第１支柱板状面を有する。第２支柱板は、第２支持板状面に接触する第２支柱板状面を有する。
【００１７】
上記構成によれば、複数箇所において支柱と第１及び第２上向支持部とが締結されるため、支柱の基礎脚への締結強度を向上することができる。
【００１８】
本発明の第６観点に係る冷凍装置ユニットは、第１〜第５観点のいずれかに係る冷凍装置ユニットにおいて、支柱は複数である。冷凍装置ユニットは、底フレームに対向し、複数の支柱の上端と締結部材により締結されている天板をさらに備える。
【００１９】
上記構成によれば、複数の支柱を一体化して、各々の支柱がばらばらに変形するのを抑制し、冷凍装置ユニット全体の捩れ変形を抑制できる。
【発明の効果】
【００２０】
本発明の第１観点に係る冷凍装置ユニットでは、支柱の基礎脚への締結強度を向上することができる。
【００２１】
本発明の第２観点に係る冷凍装置ユニットでは、支柱を基礎脚に安定的に締結することができる。
【００２２】
本発明の第３観点に係る冷凍装置ユニットでは、支柱と基礎脚との締結箇所を増やすことで、支柱と基礎脚との締結強度を高めることができる。
【００２３】
本発明の第４観点に係る冷凍装置ユニットでは、基礎脚の上向支持部と支柱とが面で接触するため、接触面積を大きくできる。
【００２４】
本発明の第５観点に係る冷凍装置ユニットでは、支柱の基礎脚への締結強度を向上することができる。
【００２５】
本発明の第６観点に係る冷凍装置ユニットでは、複数の支柱を一体化して、各々の支柱がばらばらに変形するのを抑制し、冷凍装置ユニット全体の捩れ変形を抑制できる。
【図面の簡単な説明】
【００２６】
【図１】第１実施形態に係る空気調和機１０の冷媒回路を示す模式図である。
【図２】本実施形態に係る室外機２０の外観斜視図である。
【図３】天板４１、上側板４５及び下側板４７を取り外した室外機２０の斜視図である。
【図４】支柱４３の下部の斜視図である。
【図５】支柱４３の上部の斜視図である。
【図６】基礎脚６０の上面斜視図である。
【図７】図６の基礎脚６０のαで囲まれた部分の拡大図である。
【図８】図６の基礎脚６０のβで囲まれた部分の拡大図である。
【図９】天板４１の上面斜視図である。
【図１０】図６のαの部分において、支柱４３と第１上向支持部６１ａとを締結した構成を示す模式図である。
【図１１】図６のβの部分において、支柱４３と第１上向支持部６１ａとを締結した構成を示す模式図である。
【図１２】変形例１Ａに係る基礎脚６０の端部の模式図である。
【図１３】支柱４３と、第２上向支持部６１ｂ及び横向支持部６３ａとを締結した構成を示す模式図である。
【図１４】変形例１Ｂに係る基礎脚６０の端部の模式図である。
【図１５】支柱４３と、第２上向支持部６１ｂとを締結した構成を示す模式図である。
【図１６】変形例１Ｃに係る基礎脚６０の端部の模式図である。
【図１７】支柱４３と、第１上向支持部６１ａ及び第２上向支持部６１ｂとを締結した構成を示す模式図である。
【図１８】捩れ評価試験において室外機２０に外力を加えた箇所を示す模式図である。
【図１９】支柱４３と天板４１との締結構造を示す一例である。
【図２０】支柱４３と天板４１との締結構造を示す他の一例である。
【図２１】支柱４３と天板４１との締結構造を示す他の一例である。
【図２２】捩れ評価試験において支柱４３と天板４１との締結箇所を示す天板４１の上面図である。
【発明を実施するための形態】
【００２７】
以下、図面を参照しながら、本発明の実施形態について説明する。なお、以下の実施形態は、本発明の具体例であって、本発明の技術的範囲を限定するものではない。
【００２８】
＜第１実施形態＞
（１）空気調和機１０の全体構成
図１は、第１実施形態に係る空気調和機１０の冷媒回路を示す模式図である。
【００２９】
空気調和機１０は、室外機２０と、室内機３０と、を備えている。なお、本実施形態の空気調和機１０は、図１に示すように、１台の室外機２０と、複数台の室内機３０とが冷媒配管によって並列に接続されているマルチ型の空気調和機である。なお、複数台の室外機２０と、複数台の室内機３０とが接続されていてもよい。また、本実施形態の空気調和機１０は、１台の室外機２０に１台の室内機３０が接続されたペア型の空気調和機であってもよい。この空気調和機１０は、冷房運転及び暖房運転を含む各種運転を行う。
【００３０】
また、この空気調和機１０では、室外機２０と室内機３０とが冷媒配管によって接続されることで、蒸気圧縮式の冷媒回路１１が構成されている。冷媒回路１１には、圧縮機２１と、室内熱交換器３３と、電動膨張弁２２と、室外熱交換器２４と、が順に接続されている。
【００３１】
（１−１）室外機２０の基本構成
室外機２０は、室外に設置されており、図１に示すように、圧縮機２１、四路切替弁２３、アキュムレータ２５、室外熱交換器２４、室外ファン２８、及び、電動膨張弁２２等を内部に収納している。
【００３２】
圧縮機２１は、回転数が可変なインバータ式の圧縮機であって、吸入したガス冷媒を圧縮するためのものである。
【００３３】
電動膨張弁２２は、室内熱交換器３３と室外熱交換器２４との間の冷媒圧力の調整や冷媒流量の調整等を行うための弁である。なお、本実施形態では、膨張機構として電動膨張弁２２が採用されているが、冷媒圧力の調整や冷媒流量の調整等を行うことができる機構であれば膨張機構はこれに限定されない。
【００３４】
室外熱交換器２４は、室外空気を熱源として冷媒と熱交換を行う。室外ファン２８が室外熱交換器２４に接触する空気流れを生成し、室外熱交換器２４は、室外空気と室外熱交換器２４を流れる冷媒とを熱交換する。室外熱交換器２４は、主に、長手方向両端で複数回折り返されてなる伝熱管と、伝熱管から挿通される複数のフィンとから構成されている。室外熱交換器２４は、暖房運転時には蒸発器として機能し、冷房運転時には凝縮器として機能する。
【００３５】
室外ファン２８は、室外空気を室外機２０内に取り込み、室外熱交換器２４において冷媒と熱交換させた後に、室外機２０外に排出するためのファンである。なお、本実施形態における室外ファン２８は、ファンモータ２８ａによって駆動されるプロペラファンである。
【００３６】
また、四路切替弁２３は、冷媒回路１１を流れる冷媒の流路を変更する切替機構を構成している。四路切替弁２３は、第１状態（図１の実線参照）と、第２状態（図１の破線参照）とを切り換える。第１状態（図１の実線参照）では、四路切替弁２３は、圧縮機２１の吐出部２１ａと室外熱交換器２４とを接続し、かつ、室内熱交換器３３と圧縮機２１の吸入部２１ｂとを接続する。第２状態（図１の破線参照）では、四路切替弁２３は、圧縮機２１の吐出部２１ａと室内熱交換器３３と接続し、かつ、室外熱交換器２４と圧縮機２１の吸入部２１ｂとを接続する。第１の状態は冷房運転時の状態であり、第２の状態は暖房運転時の状態である。四路切替弁２３の切換によって、冷媒回路１１における冷媒の循環方向が可逆に構成されている。
【００３７】
さらに、アキュムレータ２５は、液冷媒とガス冷媒とを分離するためのものである。アキュムレータ２５は、冷媒回路１１において、圧縮機２１の吸入部２１ｂと四路切替弁２３とを接続する冷媒配管に設けられている。
【００３８】
（１−２）室内機３０の基本構成
室内機３０は室内に設置される。室内機３０は、室内熱交換器３３及び室内ファン３４を内部に収容している。
【００３９】
室内熱交換器３３は、室内空気を熱源として冷媒と熱交換を行うためのものである。室内ファン３４が室内熱交換器３３に接触する空気流れを生成し、室内熱交換器３３は、室内の空気と室内熱交換器３３を流れる冷媒とを熱交換する。室内熱交換器３３は、主に、長手方向両端で複数回折り返されてなる伝熱管と、伝熱管から挿通される複数のフィンとから構成されている。室内熱交換器３３は、暖房運転時には、凝縮器として機能し、冷房運転時には蒸発器として機能する。
【００４０】
室内ファン３４は、室内の空気を室内機３０内に取り込み、室内熱交換器３３との間で熱交換を行った後の空気を室内に吹き出させるためのファンである。
【００４１】
（１−３）動作
（１−３−１）冷房運転
冷房運転を行う場合には、四路切替弁２３の切換により第１状態（図１の実線参照）に設定される。圧縮機２１の吐出部２１ａから吐出された高温高圧のガス状冷媒は、四路切替弁２３経て室外熱交換器２４に導入される。高温高圧のガス状冷媒は、室外熱交換器２４において室外空気との間で熱交換され、凝縮・液化する。液化した冷媒は、全開の電動膨張弁２２を経て室内機３０の室内熱交換器３３に導入される。液化した冷媒は、室内熱交換器３３において室内空気との間で熱交換され、蒸発する。冷媒の蒸発によって冷却された室内空気は、室内ファン３４によって室内に吹き出される。また、室内熱交換器３３で蒸発して気化した冷媒は、室外機２０に戻り、四路切替弁２３及びアキュムレータ２５を経て圧縮機２１の吸入部２１ｂに導入される。
【００４２】
（１−３−２）暖房運転
暖房運転を行う場合には、四路切替弁２３の切換により第２状態（図１の破線参照）に設定される。圧縮機２１の吐出部２１ａから吐出された高温高圧のガス状冷媒は、四路切替弁２３経て室内熱交換器３３に導入される。高温高圧のガス状冷媒は、室内熱交換器３３において室内空気との間で熱交換され、凝縮・液化する。冷媒の凝縮によって加熱された室内空気は、室内ファン３４によって室内に吹き出される。また、室内熱交換器３３で凝縮して液化した冷媒は、室外機２０に戻る。室外機２０に戻った冷媒は、電動膨張弁２２で低圧に減圧される。その後、冷媒は、室外熱交換器２４において室外空気と熱交換され、蒸発する。蒸発して気化した冷媒は、四路切替弁２３及びアキュムレータ２５を経て圧縮機２１の吸入部２１ｂに導入される。
【００４３】
（２）室外機２０における支柱４３の締結構造
次に、室外機２０における支柱４３の締結構造について説明する。図２は、本実施形態に係る室外機２０の外観斜視図である。図３は、天板４１、上側板４５及び下側板４７を取り外した室外機２０の斜視図である。
【００４４】
以下において、室外機２０の長手方向、つまり基礎脚６０の延びる長手方向をＸ方向とする。また、室外機２０の短手方向、つまり基礎脚６０と交差する方向をＹ方向とする。また、支柱４３が延びる上下方向をＺ方向とし、天板４１側が上であり、基礎脚６０側が下である。
【００４５】
（２−１）室外機２０の外観構成及び骨組み
まず、室外機２０の外観構成及び骨組みについて、図２及び図３を用いて説明する。
【００４６】
図２に示すように、本実施形態の室外機２０は概ね直方体状に形成されている。ただし、室外機２０の形状はこれに限定されず、立方体形状であってもよい。室外機２０は、天板４１、支柱４３、上側板４５、下側板４７、底フレーム４９及び基礎脚６０により外観及び骨組みが構成されている。
【００４７】
天板４１は、室外機２０の上部を覆う、長方形状の板状部材である。天板４１の吹出口４１−３には複数の開口４２ａを有する網部材４２が嵌め込まれている。天板４１については後述する。
【００４８】
支柱４３は、直方体状の室外機２０の角部に配置されている。本実施形態では、４本の支柱４３（支柱４３−１、支柱４３−２、支柱４３−３、支柱４３−４）がそれぞれ、直方体状の４角に配置されている。支柱４３については後述する。
【００４９】
上側板４５は室外機２０の上部側面を覆う板状の部材である。下側板４７は室外機２０の下部側面の所定箇所を覆う板状の部材である。つまり、下側板４７は、室外熱交換器２４の所定領域が露出されるように、室外機２０の下部側面を覆う。
【００５０】
底フレーム４９は、室外機２０の下部に設けられている、長方形状の板状部材である。底フレーム４９は、室外機２０内部に配置される室外熱交換器２４、圧縮機２１（図示せず）等を支持する。
【００５１】
基礎脚６０は、長方形状の底フレーム４９の対向する２辺に対応して設けられている。本実施形態では、基礎脚６０は、底フレーム４９のＸ方向に延びる辺に沿って設けられている。基礎脚６０の上部は底フレーム４９と接触して支持する。一方、基礎脚６０の下部は接地面に当接する。これにより、基礎脚６０は、底フレーム４９を支持し、室外機２０全体を支持する。基礎脚６０については後述する。
【００５２】
室外機２０の内部上方には、室外ファン２８及びベルマウス５０が設けられている。つまり、室外ファン２８及びベルマウス５０は、天板４１及び上側板４５により囲まれる空間に収納されている。本実施形態の室外機２０は上吹きタイプであり、室外機２０上部に室外ファン２８が設けられている。室外ファン２８は駆動モータ（図示せず）の回転駆動により、室外機２０の下方から空気を取り込み、上方の吹出口４１−３から空気を吹き出す。ベルマウス５０は、空気を上方へ導くように、室外ファン２８の外周部を覆っている。
【００５３】
室外機２０の内部下方には、室外熱交換器２４、圧縮機２１（図示せず）及び電装品ユニット（図示せず）等が収納されている。室外熱交換器２４には、室外ファン２８の駆動により室外機２０外部から空気が通過する。このとき、室外熱交換器２４は、冷媒と空気との間で熱交換を行う。
【００５４】
（２−１−１）支柱４３
次に、支柱４３の構成について説明する。図４は、支柱４３の下部の斜視図である。図５は、支柱４３の上部の斜視図である。
【００５５】
本実施形態では複数の支柱４３（支柱４３−１、支柱４３−２、支柱４３−３、支柱４３−４）が設けられており、室外機２０の角部にそれぞれ設けられる。つまり、図３に示すように４本の支柱４３が、それぞれ室外機２０の４箇所の角部に取り付けられている。支柱４３はＺ方向（上下方向）に長く延び、室外機２０全体の骨格をなしている。
【００５６】
本実施形態の支柱４３は、図４、図５に示すように、板状の部材が折り曲げられることで形成されている。なお、図４、図５では、特に支柱４３−１の構成を示している。支柱４３は、第１支柱板４３ａ、第２支柱板４３ｂ、第３支柱板４３ｃ、第４支柱板４３ｄ、第５支柱板４３ｅ及び天板対向部４３ｆを含む。第１〜第５支柱板４３ａ〜４３ｅ及び天板対向部４３ｆは一連に形成されている。第１〜第５支柱板４３ａ〜４３ｅは、Ｚ方向に長く延びている板状の部材である。
【００５７】
ここで、図５に示すように、支柱４３の上面視において、第３支柱板４３ｃの湾曲又は屈曲部分を通る中心線をＡ−Ａとする。つまり、中心線Ａ−Ａは、第１連結板４３ｃ−２及び第２連結板４３ｃ−３から概ね４５°の角度をなす。第１〜第５支柱板４３ａ〜４３ｅは、中心線Ａ−Ａに対して概ね対称である。
【００５８】
第３支柱板４３ｃは、上面視において、中央部において概ね９０度に湾曲又は屈曲するように形成されている。第３支柱板４３ｃは、角部４３ｃ−１、第１連結板４３ｃ−２及び第２連結板４３ｃ−３を含む。角部４３ｃ−１は、Ｘ方向とＹ方向とが交差する角において、概ね９０度に湾曲又は屈曲した部材である。第１連結板４３ｃ−２は、上面視において、角部４３ｃ−１からＹ方向に沿って角部４３ｃ−１から連続する板状部材である。第２連結板４３ｃ−３は、上面視において、角部４３ｃ−１からＸ方向に沿って角部４３ｃ−１から連続する板状部材である。
【００５９】
第４支柱板４３ｄは、上面視において、Ｘ方向に沿うように、第３支柱板４３ｃの第１連結板４３ｃ−２に対して概ね９０°で内側に向かって折り曲げられて形成されている。また、第５支柱板４３ｅは、上面視において、Ｙ方向に沿うように、第３支柱板４３ｃの第２連結板４３ｃ−３に対して概ね９０°で内側に向かって折り曲げられて形成されている。第４支柱板４３ｄと第５支柱板４３ｅとは互いに離隔している。よって、第３〜第５支柱板４３ｃ〜４３ｅは、上面視において、一部が開口した矩形状の空間４４を形成している。つまり、支柱４３の上面視において、第４支柱板４３ｄと第５支柱板４３ｅとの離隔している部分が、矩形状の空間４４の開口を形成している。
【００６０】
第１支柱板４３ａは、上面視において、第４支柱板４３ｄから、前述の矩形状の空間４４の外側に向かって概ね９０°で折り曲げられて形成されている。第１支柱板４３ａは、上面視においてＹ方向に沿っている。また、第２支柱板４３ｂは、上面視において、第５支柱板４３ｅから、空間４４の外側に向かって概ね９０°で折り曲げられて形成されている。第２支柱板４３ｂは、上面視においてＸ方向に沿っている。このような構成により、第３支柱板４３ｃ（４３ｃ−１、４３ｃ−２、４３ｃ−３）は、上面視において、第１支柱板４３ａ及び第２支柱板４３ｂの平面から突出するような構造となっている。
【００６１】
なお、図２に示すように、各支柱４３（支柱４３−１、支柱４３−２、支柱４３−３、支柱４３−４）において、第３支柱板４３ｃは、室外機２０の角部に対応している。また、隣接する支柱４３は、互いに対称に構成されている。よって、支柱４３−１は図４、図５のように構成されているのに対して、支柱４３−２は支柱４３−１に対して対称に構成されている。同様に、支柱４３−３は、支柱４３−１に対して対称に構成されている。同様に、支柱４３−３は、支柱４３−２又は支柱４３−４に対して対称に構成されている。
【００６２】
これにより、例えば、支柱４３−１の第１支柱板４３ａ（図４、図５）と、支柱４３−２の第１支柱板４３ａ（図２、図３）は、Ｙ−Ｚ方向を含む側面（図３の第１側面２０ａ）側に位置している。また、例えば、支柱４３−３の第１支柱板４３ａと、支柱４３−４の第１支柱板４３ａは、第１側面２０ａと対向するＹ−Ｚ方向を含む側面側に位置している。
【００６３】
また、例えば、支柱４３−１の第２支柱板４３ｂ（図４、図５）と、支柱４３−４の第２支柱板４３ｂ（図２、図３）は、Ｘ−Ｚ方向を含む側面（図３の第２側面２０ｂ）側に位置している。また、例えば、支柱４３−２の第２支柱板４３ｂと、支柱４３−３の第２支柱板４３ｂは、第２側面２０ｂと対向するＸ−Ｚ方向を含む側面側に位置している。
【００６４】
第１支柱板４３ａにおいて、空間４４側の面は第１支柱板状面４３ａ−１である。第１支柱板状面４３ａ−１は、後述の第１上向支持部６１ａの第１支持板状面６１ａ―１と接触する（図１０、図１７）。あるいは、第１支柱板状面４３ａ−１は、後述の横向支持部６３ａの横支持板状面６３ａ―１と接触する（図１３）。また、第２支柱板４３ｂにおいて、空間４４側の面は第２支柱板状面４３ｂ−１である。第２支柱板状面４３ｂ−１は、後述の第２上向支持部６１ｂの第２支持板状面６１ｂ―１と接触する（図１３、図１５、図１７）。
【００６５】
天板対向部４３ｆは、天板４１に対向する平面であり、第３支柱板４３ｃの上部に設けられている。天板対向部４３ｆは、第３支柱板４３ｃが延びるＺ方向（上下方向）に対して概ね９０°で折り曲げられて形成されている。天板対向部４３ｆは、第１天板対向部４３ｆ−１及び第２天板対向部４３ｆ−２を含む。第１天板対向部４３ｆ−１は、第１連結板４３ｃ−２の上端から、空間４４に向かって内側に概ね９０°で折り曲げられて形成されている。第２天板対向部４３ｆ−２は、第２連結板４３ｃ−３の上端から、空間４４に向かって内側に概ね９０°で折り曲げられて形成されている。天板対向部４３ｆは、天板４１の４隅において天板４１の下面と接触する。
【００６６】
（２−１−２）基礎脚６０
次に、基礎脚６０の構成について説明する。図６は、基礎脚６０の上面斜視図である。図７は、図６の基礎脚６０のαで囲まれた部分の拡大図である。図８は、図６の基礎脚６０のβで囲まれた部分の拡大図である。
【００６７】
本実施形態では、１対の基礎脚６０が設けられている。本実施形態では、１対の基礎脚６０は、室外機２０のＸ方向（長手方向）に沿って、底フレーム４９の対向する２辺に取り付けられている。２本の基礎脚６０は、Ｘ方向に延びる中心線に対して対称な構造であるので、１本の基礎脚６０についてのみ説明する。なお、以下の説明において、１対の基礎脚６０が対向する側を内側とし、内側の反対を外側とする。
【００６８】
基礎脚６０は、底板６１、端部上面部６２、端部側面部６３、中央上面部６４及び中央側面部６５を含む。基礎脚６０の各部分は板状の部材を折り曲げることにより形成されている。
【００６９】
底板６１は、接地面に接触する板状部分であり、室外機２０のＸ方向に沿って延びている。底板６１は、底板６１の一部を折り曲げて形成された第１上向支持部６１ａを有する。図６〜図８の例では、第１上向支持部６１ａは、基礎脚６０のＸ方向端部において、底板６１の短辺の一部を折り曲げて形成されている。第１上向支持部６１ａは、底板６１に対して上方に概ね９０°、つまりＺ方向に立ち上がっている。第１上向支持部６１ａは、上方に立ち上がっている状態で、第１支柱板４３ａと接触可能な位置に形成される。
【００７０】
第１上向支持部６１ａは、後述の締結部材６６ａが挿入される挿入孔６１ａ−２を有している。また、第１上向支持部６１ａは、基礎脚６０の外方に面し、かつＹ−Ｚ面に沿う第１支持板状面６１ａ―１を有する。
【００７１】
端部側面部６３は、底板６１の端部において、底板６１のＸ方向に沿う内側の辺から折り曲げて形成されている。端部側面部６３は、底板６１に対して上方に概ね９０°で立ち上がっている。
【００７２】
端部上面部６２は、底板６１に概ね平行に対向するように、端部側面部６３から概ね９０°で折り曲げられて形成されている。端部上面部６２は、基礎脚６０の角部であって、端部上面部６２の外方の角に、概ね矩形状の突出部６２ａを有する。突出部６２ａは、前述の支柱４３の矩形状の空間４４に対応するように形成されている。よって、支柱４３の矩形状の空間４４に突出部６２ａを挿入することで、支柱４３を基礎脚６０に嵌め合わせることができる。端部上面部６２のうち、突出部６２ａを除く部分は、底フレーム４９と接触し得る。
【００７３】
中央側面部６５は、底板６１のＸ方向に沿う外側の辺から折り曲げて形成されている。中央側面部６５は、基礎脚６０の端部、つまり端部側面部６３が形成されている端部を除く中央部に形成されている。中央側面部６５は、底板６１に対して上方に概ね９０°で立ち上がっている。中央側面部６５には、開口６５ａが形成されている。本実施形態では、２個の開口６５ａが設けられているが、これに限定されない。
【００７４】
中央上面部６４は、底板６１に概ね平行に対向するように、中央側面部６５から概ね９０°で折り曲げられて形成されている。中央上面部６４は、底フレーム４９と接触し得る。中央上面部６４には、基礎脚６０と底フレーム４９との締結のための締結面部６４ａが設けられている。本実施形態では、２個の締結面部６４ａが設けられているが、これに限定されない。
【００７５】
基礎脚６０が延びるＸ方向の中央部において直交する中心線Ｂ−Ｂ（図６）を中心として、基礎脚６０は対称に形成されている。よって、基礎脚６０の両端部には、同様の形状の第１上向支持部６１ａ及び端部上面部６２等が形成されている。
【００７６】
（２−１−３）天板４１
次に、天板４１の構成について具体的に説明する。図９は、天板４１の上面斜視図である。天板４１は、室外機２０の上部を覆う板状部材である。天板４１は、天板面板４１−１と、縁部板４１−２とを含む。天板面板４１−１は、平面状の板状部材である。縁部板４１−２は、天板面板４１−１の外周に沿って設けられ、天板面板４１−１と概ね９０°で折れ曲がる部材である。天板面板４１−１は、室外ファン２８に対応して、開口からなる吹出口４１−３を有する。本実施形態では、２つの室外ファン２８（図３）に対応して２つの吹出口４１−３が設けられている。天板４１の４角は、それぞれ支柱４３（支柱４３−１、支柱４３−２、支柱４３−３、支柱４３−４）の上端の形状に対応している。具体的には、天板４１の４角は、上面視において、第３支柱板４３ｃに対応する形状を有している。そして、天板４１は、支柱４３の天板対向部４３ｆと接触する。
【００７７】
（２−２）支柱４３と基礎脚６０との締結構造の詳細
次に、支柱４３と基礎脚６０との締結構造の詳細について説明する。図１０は、図６のαの部分において、支柱４３と第１上向支持部６１ａとを締結した構成を示す模式図である。つまり、図１０では、図７の基礎脚６０の端部（図６のαの部分）と、支柱４３−１とを締結している。図１１は、図６のβの部分において、支柱４３と第１上向支持部６１ａとを締結した構成を示す模式図である。つまり、図１１では、図８の基礎脚６０の端部（図６のβの部分）と、支柱４３−２とを締結している。
【００７８】
図１０、図１１を参照すると、支柱４３の下端部と、基礎脚６０のＸ方向端部とが嵌め合わされて締結されている。ここで、支柱４３の空間４４と、基礎脚６０の突出部６２ａとは概ね同一形状をしている。そして、支柱４３の空間４４に、基礎脚６０の突出部６２ａが挿入されている。例えば、支柱４３の空間４４と、基礎脚６０の突出部６２ａとが位置合わせされ、支柱４３が上部から基礎脚６０に嵌め合わされる。
【００７９】
また、第１支柱板４３ａの挿入孔（図示せず）と、第１上向支持部６１ａの挿入孔６１ａ−２とが位置合わせされ、締結部材６６ａが挿入される。これにより、第１支柱板４３ａと第１上向支持部６１ａとが、締結部材６６ａを介して互いに締結されている。このとき、第１支柱板４３ａの第１支柱板状面４３ａ−１と、第１上向支持部６１ａの第１支持板状面６１ａ―１とが面接触している。
【００８０】
なお、本実施形態では、全ての支柱４３（支柱４３−１、支柱４３−２、支柱４３−３、支柱４３−４）において、支柱４３と基礎脚６０とが上述と同様に締結されている。
【００８１】
上述の基礎脚６０の第１上向支持部６１ａは、接地面に当接する底板６１から立ち上がるように形成されている。このように第１上向支持部６１ａは底板６１に直結しつつ立ち上がるため、第１上向支持部６１ａの剛性を高めることができる。つまり、底板６１から浮いた状態で水平方向に屈曲する基礎脚６０の平面が支柱４３を支持する力よりも、底板６１に直結して上方に立ち上がる第１上向支持部６１ａが支柱４３を支持する力の方が大きい。よって、支柱４３の基礎脚６０への締結強度を向上することができる。
【００８２】
また、第１上向支持部６１ａは底板６１から上方に向かって立ち上がる。そして、第１上向支持部６１ａは、立ち上がりの底辺においては基礎脚６０の底板６１と直結している。よって、第１上向支持部６１ａは、底板６１を含む面に沿う方向には揺動しにくい。つまり、第１上向支持部６１ａは、Ｘ−Ｙ面に沿う方向には揺動しにくい。ここで、支柱４３は、基礎脚６０の底板６１と交差する方向（第１上向支持部６１ａの立ち上がり方向）と同様に上方に向かって延びる。よって、支柱４３と第１上向支持部６１ａとは共に上方に沿った状態で面接触して締結される。そして、支柱４３は、底板６１を含む面に沿う方向に揺動しにくい第１上向支持部６１ａと締結されるため、支柱４３が底板６１を含む面に沿う方向に揺動するのを抑制できる。これにより、支柱４３の揺動を抑えて、支柱４３を基礎脚６０に安定的に締結することができる。
【００８３】
ここで、上記の第１上向支持部６１ａは、基礎脚６０の底板６１の端部を上方に折り曲げることによって形成されている。第１上向支持部６１ａを底板６１の一部により形成するため、第１上向支持部６１ａが底板６１から連続して一体に形成されている。よって、第１上向支持部６１ａは、第１上向支持部６１ａのみによって支柱４３を支持するだけでなく、第１上向支持部６１ａから底板６１に亘る部分により支柱４３を支持する。そのため、基礎脚６０が支柱４３を支持する力が大きく、支柱４３を基礎脚６０に安定的に締結することができる。
【００８４】
また、第１上向支持部６１ａを底板６１の一部により形成するため、第１上向支持部６１ａを別途の部材により形成する場合に比べて、基礎脚６０のコストを抑制できる。また、別部材である第１上向支持部６１ａを基礎脚６０に締結するための別途の締結部材を省き、基礎脚６０のコストをさらに抑制できる。
【００８５】
また、上記の構成によれば、第１支柱板４３ａの第１支柱板状面４３ａ−１と、第１上向支持部６１ａの第１支持板状面６１ａ―１とが面接触している。よって、接触面積を大きくできる。また、その接触部分において基礎脚６０の第１上向支持部６１ａと支柱４３とが締結部材６６ａにより締結される。これにより、支柱４３を基礎脚６０に安定的に締結することができる。
【００８６】
また、以上のような構成によれば支柱４３を基礎脚６０に安定的に締結できるため、室外機２０全体の捩れ変形を抑制できる。よって、隣接する支柱４３間に捩れ変形防止のための補強板を設ける必要が無い。そのため、室外機２０全体のコストを抑制することができる。
【００８７】
（２−３）変形例
（２−３−１）変形例１Ａ
次に、支柱４３と、本実施形態の変形例１Ａに係る基礎脚６０との締結構造について説明する。変形例１Ａに係る基礎脚６０は、第２上向支持部６１ｂ及び横向支持部６３ａを有する。図１２は、変形例１Ａに係る基礎脚６０の端部の模式図である。図１３は、支柱４３と、第２上向支持部６１ｂ及び横向支持部６３ａとを締結した構成を示す模式図である。
【００８８】
変形例１Ａの基礎脚６０（図１２）では、本実施形態の基礎脚６０（図６〜図８）の第１上向支持部６１ａの代わりに第２上向支持部６１ｂが設けられている。また、図１２の基礎脚６０では、さらに横向支持部６３ａが設けられている。図６〜図８と異なる部分について説明し、重複する部分については説明を適宜省略する。
【００８９】
基礎脚６０の底板６１は、底板６１の一部を折り曲げて形成された第２上向支持部６１ｂを有する。図１２では、第２上向支持部６１ｂは、底板６１の一部に切り込み６１ｂ−３を入れて形成されている。ただし、第２上向支持部６１ｂの一部は底板６１と連結している。第２上向支持部６１ｂは、切り込み６１ｂ−３により囲まれる部分を底板６１に対して上方に概ね９０°、つまりＺ方向に立ち上げることで形成される。第２上向支持部６１ｂは、上方に立ち上がっている状態で、第２支柱板４３ｂと接触可能な位置に形成される。
【００９０】
第２上向支持部６１ｂは、後述の締結部材６６ｂが挿入される挿入孔６１ｂ−２を有している。また、第２上向支持部６１ｂは、基礎脚６０の外方に面し、かつＸ−Ｚ面に沿う第２支持板状面６１ｂ―１を有する。第２支持板状面６１ｂ―１は、第２支柱板４３ｂの第２支柱板状面４３ｂ−１と面接触する。
【００９１】
基礎脚６０の端部側面部６３は、横向支持部６３ａを有している。横向支持部６３ａは、端部側面部６３の一部を、第２上向支持部６１ｂと交差する方向に折り曲げることにより形成される。つまり、横向支持部６３ａは、端部側面部６３から、Ｙ−Ｚ面に沿うように折り曲げられる。横向支持部６３ａは、第１支柱板４３ａと接触可能な位置に形成される。
【００９２】
横向支持部６３ａは、後述の締結部材６６ｃが挿入される挿入孔６３ａ−２を有している。また、横向支持部６３ａは、基礎脚６０の外方に面し、かつＹ−Ｚ面に沿う横支持板状面６３ａ―１を有する。横支持板状面６３ａ―１は、第１支柱板４３ａの第１支柱板状面４３ａ−１と面接触する。
【００９３】
図１２、図１３を参照すると、第２支柱板４３ｂの挿入孔（図示せず）と、第２上向支持部６１ｂの挿入孔６１ｂ−２とが位置合わせされ、締結部材６６ｂが挿入される。これにより、第２支柱板４３ｂと第２上向支持部６１ｂとが、締結部材６６ｂを介して互いに締結される。このとき、第２支柱板４３ｂの第２支柱板状面４３ｂ−１と、第２上向支持部６１ｂの第２支持板状面６１ｂ―１とが面接触している。
【００９４】
また、第１支柱板４３ａの挿入孔（図示せず）と、横向支持部６３ａの挿入孔６３ａ−２とが位置合わせされ、締結部材６６ｃが挿入される。これにより、第１支柱板４３ａと横向支持部６３ａとが、締結部材６６ｃを介して互いに締結される。このとき、第１支柱板４３ａの第１支柱板状面４３ａ−１と、横向支持部６３ａの横支持板状面６３ａ―１とが面接触している。
【００９５】
なお、本変形例では、全ての支柱４３（支柱４３−１、支柱４３−２、支柱４３−３、支柱４３−４）において、支柱４３と基礎脚６０とが上述と同様に締結されている。
【００９６】
上述の基礎脚６０の第２上向支持部６１ｂは、接地面に当接する底板６１から立ち上がるように形成されている。このように第２上向支持部６１ｂは底板６１に直結しつつ立ち上がるため、第２上向支持部６１ｂの剛性を高めることができる。よって、支柱４３の基礎脚６０への締結強度を向上することができる。
【００９７】
また、第２上向支持部６１ｂは底板６１から上方に向かって立ち上がっており、底板６１と直結している。よって、第２上向支持部６１ｂは、底板６１を含む面に沿う方向には揺動しにくい。支柱４３は、底板６１を含む面に沿う方向に揺動しにくい第２上向支持部６１ｂと締結されるため、支柱４３が底板６１を含む面に沿う方向に揺動するのを抑制できる。これにより、支柱４３の揺動を抑えて、支柱４３を基礎脚６０に安定的に締結することができる。
【００９８】
ここで、上記の第２上向支持部６１ｂは、基礎脚６０の底板６１の一部により形成するため、第２上向支持部６１ｂが底板６１から連続して一体に形成されている。よって、第２上向支持部６１ｂは、第２上向支持部６１ｂから底板６１に亘る部分により支柱４３を支持する。そのため、基礎脚６０が支柱４３を支持する力が大きく、支柱４３を基礎脚６０に安定的に締結することができる。
【００９９】
また、第２上向支持部６１ｂを底板６１の一部により形成するため、基礎脚６０のコストを抑制できる。
【０１００】
また、上記の構成によれば、支柱４３と、第２上向支持部６１ｂ及び横向支持部６３ａとが面接触している。よって、接触面積が大きく、支柱４３を基礎脚６０に安定的に締結することができる。
【０１０１】
なお、上記では、支柱４３は、基礎脚６０の第２上向支持部６１ｂと締結されるだけでなく、さらに基礎脚６０の横向支持部６３ａと締結されている。支柱４３と基礎脚６０との締結箇所を増やすことで、支柱４３と基礎脚６０との締結強度を高めることができる。ここで、横向支持部６３ａは、底板６１から浮いた状態で折り曲げられている。よって、支柱４３と基礎脚６０の横向支持部６３ａとの締結だけでは、支柱４３の基礎脚６０への締結強度が弱い。しかし、支柱４３を基礎脚６０の第２上向支持部６１ｂと締結することで、支柱４３の基礎脚６０への締結強度を向上することができる。
【０１０２】
また、以上のような構成によれば支柱４３を基礎脚６０に安定的に締結できるため、室外機２０全体の捩れ変形を抑制できる。よって、隣接する支柱４３間に捩れ変形防止のための補強板を設ける必要が無い。そのため、室外機２０全体のコストを抑制することができる。
【０１０３】
（２−３−２）変形例１Ｂ
次に、支柱４３と、本実施形態の変形例１Ｂに係る基礎脚６０との締結構造について説明する。変形例１Ｂに係る基礎脚６０は、第２上向支持部６１ｂを有する。図１４は、変形例１Ｂに係る基礎脚６０の端部の模式図である。図１５は、支柱４３と、第２上向支持部６１ｂとを締結した構成を示す模式図である。
【０１０４】
変形例１Ｂの基礎脚６０（図１４）では、変形例１Ａの基礎脚６０（図１２）の横向支持部６３ａが省略され、第２上向支持部６１ｂが設けられている。図１２と重複する部分については説明を適宜省略する。
【０１０５】
基礎脚６０の底板６１は、底板６１の一部を折り曲げて形成された第２上向支持部６１ｂを有する。図１４では、第２上向支持部６１ｂは、底板６１の一部に切り込み６１ｂ−３を入れて形成されている。
【０１０６】
第２上向支持部６１ｂは、後述の締結部材６６ｂが挿入される挿入孔６１ｂ−２を有している。また、第２上向支持部６１ｂは、基礎脚６０の外方に面し、かつＸ−Ｚ面に沿う第２支持板状面６１ｂ―１を有する。第２支持板状面６１ｂ―１は、第２支柱板４３ｂの第２支柱板状面４３ｂ−１と面接触する。
【０１０７】
図１４、図１５を参照すると、第２支柱板４３ｂの挿入孔（図示せず）と、第２上向支持部６１ｂの挿入孔６１ｂ−２とが位置合わせされ、締結部材６６ｂが挿入される。これにより、第２支柱板４３ｂと第２上向支持部６１ｂとが、締結部材６６ｂを介して互いに締結される。このとき、第２支柱板４３ｂの第２支柱板状面４３ｂ−１と、第２上向支持部６１ｂの第２支持板状面６１ｂ―１とが面接触している。
【０１０８】
なお、本変形例では、全ての支柱４３（支柱４３−１、支柱４３−２、支柱４３−３、支柱４３−４）において、支柱４３と基礎脚６０とが上述と同様に締結されている。
【０１０９】
上述の構成により、変形例１Ａの第２上向支持部６１ｂと同様の作用効果を得ることができる。以下に簡単に説明する。上述の基礎脚６０の第２上向支持部６１ｂは、接地面に当接する底板６１から立ち上がるように形成されている。そのため、第２上向支持部６１ｂの剛性を高めることができる。よって、支柱４３の基礎脚６０への締結強度を向上することができる。
【０１１０】
また、支柱４３は、底板６１を含む面に沿う方向に揺動しにくい第２上向支持部６１ｂと締結されるため、支柱４３が底板６１を含む面に沿う方向に揺動するのを抑制できる。これにより、支柱４３の揺動を抑えて、支柱４３を基礎脚６０に安定的に締結することができる。
【０１１１】
ここで、第２上向支持部６１ｂは底板６１から連続して一体に形成されている。よって、第２上向支持部６１ｂは、第２上向支持部６１ｂから底板６１に亘る部分により支柱４３を支持する。そのため、基礎脚６０が支柱４３を支持する力が大きく、支柱４３を基礎脚６０に安定的に締結することができる。
【０１１２】
また、第２上向支持部６１ｂを底板６１の一部により形成するため、基礎脚６０のコストを抑制できる。
【０１１３】
また、上記の構成によれば、支柱４３と第２上向支持部６１ｂとが面接触している。よって、接触面積が大きく、支柱４３を基礎脚６０に安定的に締結することができる。
【０１１４】
また、以上のような構成によれば支柱４３を基礎脚６０に安定的に締結できるため、室外機２０全体の捩れ変形を抑制でき、別途の補強板を設ける必要が無い。そのため、室外機２０全体のコストを抑制することができる。
【０１１５】
（２−３−３）変形例１Ｃ
次に、支柱４３と、本実施形態の変形例１Ｃに係る基礎脚６０との締結構造について説明する。変形例１Ｃに係る基礎脚６０は、第１上向支持部６１ａ及び第２上向支持部６１ｂを有する。図１６は、変形例１Ｃに係る基礎脚６０の端部の模式図である。図１７は、支柱４３と、第１上向支持部６１ａ及び第２上向支持部６１ｂとを締結した構成を示す模式図である。
【０１１６】
変形例１Ｃの基礎脚６０（図１６）では、本実施形態の基礎脚６０の第１上向支持部６１ａ（図６〜図８）と、変形例１Ｂの基礎脚６０（図１４）の第２上向支持部６１ｂとが設けられている。図６〜図８、図１４と重複する部分については説明を適宜省略する。
【０１１７】
第１上向支持部６１ａは、基礎脚６０のＸ方向端部において、底板６１の短辺の一部を折り曲げて形成されている。第２上向支持部６１ｂは、底板６１の一部に切り込み６１ｂ−３を入れて形成されている。
【０１１８】
第１上向支持部６１ａは、後述の締結部材６６ａが挿入される挿入孔６１ａ−２を有している。また、第１上向支持部６１ａは、基礎脚６０の外方に面し、かつＹ−Ｚ面に沿う第１支持板状面６１ａ―１を有する。第１支持板状面６１ａ―１は、第１支柱板４３ａの第１支柱板状面４３ａ−１と面接触する。
【０１１９】
第２上向支持部６１ｂは、後述の締結部材６６ｂが挿入される挿入孔６１ｂ−２を有している。また、第２上向支持部６１ｂは、基礎脚６０の外方に面し、かつＸ−Ｚ面に沿う第２支持板状面６１ｂ―１を有する。第２支持板状面６１ｂ―１は、第２支柱板４３ｂの第２支柱板状面４３ｂ−１と面接触する。
【０１２０】
図１６、図１７を参照すると、第１支柱板４３ａの挿入孔（図示せず）と、第１上向支持部６１ａの挿入孔６１ａ−２とが位置合わせされ、締結部材６６ａが挿入される。これにより、第１支柱板４３ａと第１上向支持部６１ａとが、締結部材６６ａを介して互いに締結される。このとき、第１支柱板４３ａの第１支柱板状面４３ａ−１と、第１上向支持部６１ａの第１支持板状面６１ａ―１とが面接触している。
【０１２１】
第２支柱板４３ｂの挿入孔（図示せず）と、第２上向支持部６１ｂの挿入孔６１ｂ−２とが位置合わせされ、締結部材６６ｂが挿入される。これにより、第２支柱板４３ｂと第２上向支持部６１ｂとが、締結部材６６ｂを介して互いに締結される。このとき、第２支柱板４３ｂの第２支柱板状面４３ｂ−１と、第２上向支持部６１ｂの第２支持板状面６１ｂ―１とが面接触している。
【０１２２】
なお、本変形例では、全ての支柱４３（支柱４３−１、支柱４３−２、支柱４３−３、支柱４３−４）において、支柱４３と基礎脚６０とが上述と同様に締結されている。
【０１２３】
上述の構成により本実施形態及び変形例１Ｂと同様の作用効果を得ることができる。以下に簡単に説明する。上述の基礎脚６０の第１上向支持部６１ａ及び第２上向支持部６１ｂは、接地面に当接する底板６１から立ち上がるように形成されている。そのため、第１及び第２上向支持部６１ａ、６１ｂの剛性を高めることができる。よって、支柱４３の基礎脚６０への締結強度を向上することができる。
【０１２４】
また、支柱４３は、底板６１を含む面に沿う方向に揺動しにくい第１及び第２上向支持部６１ａ、６１ｂと締結されるため、支柱４３が底板６１を含む面に沿う方向に揺動するのを抑制できる。これにより、支柱４３の揺動を抑えて支柱４３を基礎脚６０に安定的に締結することができる。
【０１２５】
ここで、第１及び第２上向支持部６１ａ、６１ｂは底板６１から連続して一体に形成されている。よって、第１及び第２上向支持部６１ａ、６１ｂは、第１及び第２上向支持部６１ａ、６１ｂから底板６１に亘る部分により支柱４３を支持する。そのため、基礎脚６０が支柱４３を支持する力が大きく、支柱４３を基礎脚６０に安定的に締結することができる。
【０１２６】
また、第１及び第２上向支持部６１ａ、６１ｂを底板６１の一部により形成するため、基礎脚６０のコストを抑制できる。
【０１２７】
また、上記の構成によれば、支柱４３と、第１及び第２上向支持部６１ａ、６１ｂとが面接触している。よって、接触面積が大きく、支柱４３を基礎脚６０に安定的に締結することができる。
【０１２８】
ここで、室外機２０は概ね箱状であり、図３に示すように第１側面２０ａと、第１側面２０ａと交差する第２側面２０ｂを含む。第１側面２０ａはＹ−Ｚ面に沿う面である。第２側面２０ｂはＸ−Ｚ面に沿う面である。第１側面２０ａ側においては、支柱４３の第１支柱板状面４３ａ−１と、第１上向支持部６１ａの第１支持板状面６１ａ―１とが面接触して締結される。また、第２側面２０ｂ側においては、支柱４３の第２支柱板状面４３ｂ−１と、第２上向支持部６１ｂの第２支持板状面６１ｂ―１とが面接触して締結される。複数箇所において支柱４３と第１及び第２上向支持部６１ａ、６１ｂとが締結されるため、支柱４３の基礎脚６０への締結強度を向上することができる。また、支柱４３と第１及び第２上向支持部６１ａ、６１ｂとの締結箇所が、第１側面２０ａと第２側面２０ｂとに設けられている。よって、室外機２０が第１側面２０ａ方向及び第２側面２０ｂ方向のいずれの方向から力を受けた場合であっても、支柱４３と第１及び第２上向支持部６１ａ、６１ｂとが安定的に固定されている。
【０１２９】
また、以上のような構成によれば支柱４３を基礎脚６０に安定的に締結できるため、室外機２０全体の捩れ変形を抑制でき、別途の補強板を設ける必要が無い。そのため、室外機２０全体のコストを抑制することができる。
【０１３０】
（３）捩れ評価試験
次に室外機２０の捩れ評価試験の結果について説明する。捩れ評価試験は、次の第１の条件の室外機２０での捩れ変形量と、第２の条件の室外機２０での捩れ変形量とを対比して評価することにより行った。
【０１３１】
第１の条件は、支柱４３と、上記の図１２、図１３の変形例１Ａから第２上向支持部６１ｂを除いた基礎脚６０とを締結した場合である。つまり、支柱４３と、基礎脚６０の横向支持部６３ａとが締結されている場合である。このとき、２本の基礎脚６０の端部それぞれに横向支持部６３ａが形成されている。そして、４本の支柱４３は、それぞれ対応する基礎脚６０の横向支持部６３ａと締結されている。
【０１３２】
第２の条件は、支柱４３と、上記の変形例１Ａに係る基礎脚６０とが締結されている場合である。つまり、図１２、図１３に示すように、支柱４３と、基礎脚６０の第２上向支持部６１ｂ及び横向支持部６３ａとが締結されている場合である。このとき、２本の基礎脚６０の端部それぞれに第２上向支持部６１ｂ及び横向支持部６３ａが形成されている。そして、４本の支柱４３は、それぞれ対応する基礎脚６０の第２上向支持部６１ｂ及び横向支持部６３ａと締結されている。
【０１３３】
第１の条件と、第２の条件との差は、支柱４３が第２上向支持部６１ｂと締結されていないか（第１の条件）、支柱４３が第２上向支持部６１ｂと締結されているか（第２の条件）である。
【０１３４】
図１８は、捩れ評価試験において室外機２０に外力を加えた箇所を示す模式図である。図１８に示すように、１本の支柱４３の下部から２／３程度の位置において、室外機２０の外側に向かってＹ方向に外力を加える。外力の大きさは、８５０．０Ｎである。
【０１３５】
上記の捩れ評価試験の結果は、下記表１に示す通りである。
【０１３６】
【表１】
2016099039.tif 000003
【０１３７】
上記表１に示すように、支柱４３が第２上向支持部６１ｂと締結されていない場合（第１の条件）では、室外機２０の捩れ変形量が２２．９ｍｍであった。また、支柱４３が第２上向支持部６１ｂと締結されている場合（第２の条件）では、室外機２０の捩れ変形量が１７．２ｍｍであった。第２の条件では、第１の条件に比べて捩れ変形量が２４．９％低下している。よって、支柱４３を第２上向支持部６１ｂと締結することによって、顕著に捩れ変形量を低下できることが分かった。
【０１３８】
（４）特徴
（４−１）
室外機２０は、底フレーム４９と、基礎脚６０と、支柱４３とを備える。基礎脚６０は、接地面に当接する底板６１を含み、底フレーム４９を支持する。支柱４３は、基礎脚６０に締結され、基礎脚６０の底板６１と交差する方向に延びる。基礎脚６０の底板６１は、底板６１から立ち上がる第１又は第２上向支持部６１ａ、６１ｂを有する。支柱４３は、基礎脚６０の第１又は第２上向支持部６１ａ、６１ｂに締結部材６６ａ、６６ｂを介して締結されている。
【０１３９】
上述の基礎脚６０の第１又は第２上向支持部６１ａ、６１ｂは、接地面に当接する底板６１から立ち上がるように形成されている。このように第１又は第２上向支持部６１ａ、６１ｂは底板６１に直結しつつ立ち上がるため、第１又は第２上向支持部６１ａ、６１ｂの剛性を高めることができる。つまり、底板６１から浮いた状態で水平方向に屈曲する基礎脚６０の平面が支柱４３を支持する力よりも、底板６１に直結して上方に立ち上がる第１又は第２上向支持部６１ａ、６１ｂが支柱４３を支持する力の方が大きい。よって、支柱４３の基礎脚６０への締結強度を向上することができる。
【０１４０】
また、第１又は第２上向支持部６１ａ、６１ｂは底板６１から上方に向かって立ち上がる。そして、第１又は第２上向支持部６１ａ、６１ｂは、立ち上がりの底辺においては基礎脚６０の底板６１と直結している。よって、第１又は第２上向支持部６１ａ、６１ｂは、底板６１を含む面に沿う方向には揺動しにくい。ここで、支柱４３は、基礎脚６０の底板６１と交差する方向（第１又は第２上向支持部６１ａ、６１ｂの立ち上がり方向）と同様に上方に向かって延びる。よって、支柱４３と第１又は第２上向支持部６１ａ、６１ｂとは共に上方に沿った状態で面接触して締結される。そして、支柱４３は、底板６１を含む面に沿う方向に揺動しにくい第１又は第２上向支持部６１ａ、６１ｂと締結されるため、支柱４３が底板６１を含む面に沿う方向に揺動するのを抑制できる。これにより、支柱４３の揺動を抑えて支柱４３を基礎脚６０に安定的に締結することができる。
【０１４１】
また、上記構成によれば支柱４３を基礎脚６０に安定的に締結できるため、室外機２０全体の捩れ変形を抑制できる。よって、隣接する支柱４３間に捩れ変形防止のための補強板を設ける必要が無い。そのため、室外機２０全体のコストを抑制することができる。
【０１４２】
（４−２）
第１又は第２上向支持部６１ａ、６１ｂは、基礎脚６０の底板６１の一部を折り曲げることにより形成されている。
【０１４３】
例えば、第１上向支持部６１ａは、基礎脚６０の底板６１の端部を上方に折り曲げることによって形成されている。また、第２上向支持部６１ｂは、基礎脚６０の底板６１の一部に切り込みを入れ、底板６１から折り曲げることによって形成されている。第１又は第２上向支持部６１ａ、６１ｂを底板６１の一部により形成するため、第１又は第２上向支持部６１ａ、６１ｂが底板６１から連続して一体に形成されている。よって、第１又は第２上向支持部６１ａ、６１ｂは、第１又は第２上向支持部６１ａ、６１ｂのみによって支柱４３を支持するだけでなく、第１又は第２上向支持部６１ａ、６１ｂから底板６１に亘る部分により支柱４３を支持する。そのため、基礎脚６０が支柱４３を支持する力が大きく、支柱４３を基礎脚６０に安定的に締結することができる。
【０１４４】
また、第１又は第２上向支持部６１ａ、６１ｂを底板６１の一部により形成するため、第１又は第２上向支持部６１ａ、６１ｂを別途の部材により形成する場合に比べて、基礎脚６０のコストを抑制できる。また、別部材である第１又は第２上向支持部６１ａ、６１ｂを基礎脚６０に締結するには別途の締結部材が必要である。しかし、第１又は第２上向支持部６１ａ、６１ｂは基礎脚６０と一体であるため、別途の締結部材を省略できる。よって、基礎脚６０のコストをさらに抑制できる。
【０１４５】
（４−３）
基礎脚６０は、底板６１と交差する端部側面部６３をさらに含む。基礎脚６０の端部側面部６３は、横向支持部６３ａを有している。横向支持部６３ａは、第１又は第２上向支持部６１ａ、６１ｂと交差する方向に端部側面部６３の一部を折り曲げることにより形成される。支柱４３は、基礎脚６０の横向支持部６３ａに締結部材６６ｃを介してさらに締結されている。
【０１４６】
支柱４３は、基礎脚６０の第１又は第２上向支持部６１ａ、６１ｂと締結されるだけでなく、さらに基礎脚６０の端部側面部６３の横向支持部６３ａと締結されていてもよい。支柱４３と基礎脚６０との締結箇所を増やすことで、支柱４３と基礎脚６０との締結強度を高めることができる。ここで、横向支持部６３ａは、底板６１から浮いた状態で水平方向に折り曲げられている。よって、支柱４３と基礎脚６０の横向支持部６３ａとの締結だけでは、支柱４３の基礎脚６０への締結強度が弱い。しかし、支柱４３を基礎脚６０の第１又は第２上向支持部６１ａ、６１ｂと締結することで、支柱４３の基礎脚６０への締結強度を向上することができる。
【０１４７】
（４−４）
第１又は第２上向支持部６１ａ、６１ｂは、第１又は第２支持板状面６１ａ―１、６１ｂ―１を有している。支柱４３は、第１又は第２支持板状面６１ａ―１、６１ｂ―１に接触する第１又は第２支柱板状面４３ａ−１、４３ｂ−１を有している。第１又は第２支持板状面６１ａ―１、６１ｂ―１と、第１又は第２支柱板状面４３ａ−１、４３ｂ−１と、の接触部分において、支柱４３が締結部材６６ａ、６６ｂを介して基礎脚６０に締結されている。
【０１４８】
基礎脚６０の第１又は第２上向支持部６１ａ、６１ｂと支柱４３とが面で接触するため、接触面積を大きくできる。また、その接触部分において基礎脚６０と支柱４３とが締結部材６６ａ、６６ｂにより締結される。これにより、支柱４３を基礎脚６０に安定的に締結することができる。
【０１４９】
（４−５）
基礎脚６０は、第１上向支持部６１ａと、第２上向支持部６１ｂと、を有する。第１上向支持部６１ａは、基礎脚６０の延びる方向と交差する第１支持板状面６１ａ−１を有する。第２上向支持部６１ｂは、第１支持板状面６１ａ−１と交差する第２支持板状面６１ｂ−１を有する。支柱４３は、第１支柱板４３ａと、第２支柱板４３ｂと、を有している。第１支柱板４３ａは、第１支持板状面６１ａ−１に接触する第１支柱板状面４３ａ−１を有する。第２支柱板４３ｂは、第２支持板状面６１ｂ−１に接触する第２支柱板状面４３ｂ−１を有する。
【０１５０】
室外機２０は概ね箱状であり、第１側面２０ａと、第１側面２０ａと交差する第２側面２０ｂと、を含む。第１側面２０ａ側においては、第１上向支持部６１ａの第１支持板状面６１ａ−１と支柱４３の第１支柱板状面４３ａ−１とが面接触して締結される。また、第２側面２０ｂ側においては、第２上向支持部６１ｂの第２支持板状面６１ｂ−１と支柱４３の第２支柱板状面４３ｂ−１とが面接触して締結される。複数箇所において支柱４３と第１及び第２上向支持部６１ａ、６１ｂとが締結されるため、支柱４３の基礎脚６０への締結強度を向上することができる。また、支柱４３と第１及び第２上向支持部６１ａ、６１ｂとの締結箇所が、第１側面２０ａ側と第２側面２０ｂ側とに設けられている。よって、室外機２０が第１側面２０ａ方向及び第２側面２０ｂ方向のいずれの方向から力を受けた場合であっても、支柱４３と第１及び第２上向支持部６１ａ、６１ｂとが安定的に固定されている。
【０１５１】
＜第２実施形態＞
次に第２実施形態に係る室外機２０の構成について説明する。第２実施形態では、支柱４３（支柱４３−１、支柱４３−２、支柱４３−３、支柱４３−４）の上端は、天板４１と締結されている。また、基礎脚６０は、第１実施形態の変形例１Ａの横向支持部６３ａ（図１２、図１３）のみを有している。よって、支柱４３の下端は、横向支持部６３ａのみと締結されている。その他の構成は、第１実施形態と同様であるので重複する部分について説明を適宜省略する。
【０１５２】
（１）支柱４３と天板４１との締結構造
図１９は、支柱４３と天板４１との締結構造を示す一例である。図２０は、支柱４３と天板４１との締結構造を示す他の一例である。図２１は、支柱４３と天板４１との締結構造を示す他の一例である。
【０１５３】
図１９では、第３支柱板４３ｃの第１連結板４３ｃ−２の上端と、天板４１の縁部板４１−２とが締結部材７１ａによって締結されている。また、第３支柱板４３ｃの第２連結板４３ｃ−３の上端と、天板４１の縁部板４１−２とが締結部材７１ｂによって締結されている。４本の支柱４３全てが同様に天板４１と締結される。これにより、複数の支柱４３の上端が一枚の天板４１に固定される。よって、複数の支柱４３を一体化して、各々の支柱４３がばらばらに変形するのを抑制し、室外機２０全体の捩れ変形を抑制できる。
【０１５４】
図２０では、第３支柱板４３ｃの角部４３ｃ−１と天板４１の縁部板４１−２とが締結部材７１ｃによって締結されている。４本の支柱４３全てが同様に天板４１と締結される。図２１では、第３支柱板４３ｃの天板対向部４３ｆと天板４１とが締結部材７１ｄ、７１ｅによって締結されている。具体的には、天板対向部４３ｆの第１天板対向部４３ｆ−１（図５）と、天板４１の天板面板４１−１とが締結部材７１ｄによって締結される。また、天板対向部４３ｆの第２天板対向部４３ｆ−２（図５）と、天板４１の天板面板４１−１とが締結部材７１ｅによって締結される。４本の支柱４３全てが同様に天板４１と締結される。図２０、図２１の構成においても、図１９と同様の効果を得ることができる。つまり、複数の支柱４３を天板４１との固定により一体化して、各々の支柱４３がばらばらに変形するのを抑制し、室外機２０全体の捩れ変形を抑制できる。
【０１５５】
なお、図１９において、支柱４３と天板４１の縁部板４１−２とは、締結部材７１ａ及び締結部材７１ｂのいずれか一方とのみ締結されてもよい。また、図２１において、支柱４３と天板４１とは、締結部材７１ｄ及び締結部材７１ｅのいずれか一方のみによって締結されていてもよい。
【０１５６】
（２）捩れ評価試験
次に室外機２０の捩れ評価試験の結果について説明する。図２２は、捩れ評価試験において支柱４３と天板４１との締結箇所を示す天板４１の上面図である。捩れ評価試験は、次の第１〜第３の条件の室外機２０での捩れ変形量を対比して評価することにより行った。
【０１５７】
第１の条件は、支柱４３と天板４１とが締結されていない場合である。
【０１５８】
第２の条件は、図２２において、（ａ）、（ｂ）、（ｃ）、（ｄ）の４箇所において、支柱４３と天板４１とを締結した場合である。つまり、図２０に示すように、第３支柱板４３ｃの角部４３ｃ−１と、天板４１の縁部板４１−２とが締結部材７１ｃによって締結されている。４本の支柱４３の全てが天板４１と締結されている。
【０１５９】
第３の条件は、図２２において、（ｅ）、（ｆ）、（ｇ）、（ｈ）、（ｉ）、（ｊ）、（ｋ）、（ｌ）の８箇所において、支柱４３と天板４１とを締結した場合である。つまり、図１９に示すように、第１、第２連結板４３ｃ−２、４３ｃ−３の上端と、天板４１の縁部板４１−２とが締結部材７１ａ、７１ｂによって締結されている。４本の支柱４３の全てが天板４１と締結されている。
【０１６０】
上記の第１〜第３の条件にいずれにおいても、支柱４３の下端は、基礎脚６０の横向支持部６３ａのみと締結されている。
【０１６１】
捩れ評価試験は、第１実施形態の捩れ評価試験と同様に、図１８に示す外力を室外機２０に加えて行った。
【０１６２】
上記の捩れ評価試験の結果は、下記表２に示す通りである。
【０１６３】
【表２】
2016099039.tif 000004
【０１６４】
上記表２に示すように、支柱４３が天板４１と締結されていない場合（第１の条件）では、室外機２０の捩れ変形量が２２．９ｍｍであった。また、第３支柱板４３ｃの角部４３ｃ−１が天板４１と締結されている場合（第２の条件）では、室外機２０の捩れ変形量が１９．５ｍｍであった。また、第３支柱板４３ｃの第１、第２連結板４３ｃ−２、４３ｃ−３が天板４１と締結されている場合（第３の条件）では、室外機２０の捩れ変形量が１９．４ｍｍであった。第２の条件では、第１の条件に比べて捩れ変形量が１４．８％減少している。また、第３の条件では、第１の条件に比べて捩れ変形量が１５．３％減少している。よって、支柱４３を天板４１と締結することによって、顕著に捩れ変形量を低下できることが分かった。なお、第３支柱板４３ｃの角部４３ｃ−１と天板４１とを締結する場合（第２の条件）と、第３支柱板４３ｃの第１、第２連結板４３ｃ−２、４３ｃ−３と天板４１とを締結する場合（第３の条件）とでは大きな差は無い。このことから、角部４３ｃ−１又は第１、第２連結板４３ｃ−２、４３ｃ−３と、天板４１とを締結すれば、室外機２０の捩れ変形量を低下できることが分かる。
【０１６５】
（３）特徴
支柱４３（支柱４３−１、支柱４３−２、支柱４３−３、支柱４３−４）は複数である。室外機２０は、底フレーム４９に対向し、複数の支柱４３の上端と締結部材７１ａ〜７１ｅにより締結されている天板４１をさらに備える。
【０１６６】
支柱４３が基礎脚６０に安定的に固定されているだけでなく、支柱４３が天板４１にさらに固定されている。つまり、支柱４３の上端及び下端がそれぞれ基礎脚６０及び天板４１に締結されている。よって、支柱４３の固定の安定度が増す。特に、複数の支柱４３の上端が一枚の天板４１に固定される。よって、複数の支柱４３を一体化して、各々の支柱４３がばらばらに変形するのを抑制し、室外機２０全体の捩れ変形を抑制できる。
【０１６７】
＜第３実施形態＞
次に第３実施形態に係る室外機２０の構成について説明する。
【０１６８】
（１）支柱４３と、基礎脚６０及び天板４１との締結構造
第１実施形態では、支柱４３の第１上向支持部６１ａ及び第２上向支持部６１ｂの少なくとも１つと、基礎脚６０とが締結されている。第２実施形態では、４本の支柱４３と天板４１とが締結されている。第３実施形態では、第１実施形態と第２実施形態とを組み合わせる。つまり、第１実施形態に示すように支柱４３と基礎脚６０とを締結し、さらに、４本の支柱と天板４１とを締結する。
【０１６９】
第３の実施形態では、支柱４３と基礎脚６０とは次のいずれかの方法により締結されている。１つの方法として、基礎脚６０の第１上向支持部６１ａと、支柱４３の第１支柱板４３ａとが、締結部材６６ａを介して締結されている（図１０、図１１）。また、別の方法として、基礎脚６０の第２上向支持部６１ｂと、支柱４３の第２支柱板４３ｂとが、締結部材６６ｂを介して締結されている。さらに、基礎脚６０の横向支持部６３ａと、支柱４３の第１支柱板４３ａとが締結部材６６ｃを介して締結されている（図１２、図１３）。また、別の方法として、基礎脚６０の第２上向支持部６１ｂと、支柱４３の第２支柱板４３ｂとが、締結部材６６ｂを介して締結されている（図１４、図１５）。また、別の方法として、基礎脚６０の第１上向支持部６１ａと、支柱４３の第１支柱板４３ａとが、締結部材６６ａを介して締結されている。さらに、基礎脚６０の第２上向支持部６１ｂと、支柱４３の第２支柱板４３ｂとが、締結部材６６ｂを介して締結されている（図１６、図１７）。
【０１７０】
また、第３の実施形態では、支柱４３と天板４１とは次のいずれかの方法により締結されている。１つの方法として、第３支柱板４３ｃの第１及び第２連結板４３ｃ−２、４３ｃ−３の上端と、天板４１の縁部板４１−２とが、締結部材７１ａ、７１ｂによって締結されている（図１９）。また、別の方法として、第３支柱板４３ｃの角部４３ｃ−１と、天板４１の縁部板４１−２とが、締結部材７１ｃによって締結されている（図２０）。また、別の方法として、第３支柱板４３ｃの天板対向部４３ｆと、天板４１とが、締結部材７１ｄ、７１ｅによって締結されている（図２１）。なお、図１９において、支柱４３と天板４１の縁部板４１−２とは、締結部材７１ａ及び締結部材７１ｂのいずれか一方とのみ締結されてもよい。また、図２１において、支柱４３と天板４１とは、締結部材７１ｄ及び締結部材７１ｅのいずれか一方のみによって締結されていてもよい。
【０１７１】
第３実施形態では、支柱４３の下端が基礎脚６０に安定的に固定されているだけでなく、支柱４３の上端が天板４１にさらに固定されている。つまり、支柱４３の上端及び下端がそれぞれ基礎脚６０及び天板４１に締結されている。よって、支柱４３の固定の安定度が増す。特に、複数の支柱４３の上端が一枚の天板４１に固定される。よって、複数の支柱４３を一体化して、各々の支柱４３がばらばらに変形するのを抑制し、室外機２０全体の捩れ変形を抑制できる。
【０１７２】
（２）捩れ評価試験
次に室外機２０の捩れ評価試験の結果について説明する。捩れ評価試験は、次の第１〜第３の条件の室外機２０での捩れ変形量を対比して評価することにより行った。
【０１７３】
第１の条件では、支柱４３と、第１実施形態の図１２、図１３の変形例１Ａから第２上向支持部６１ｂを除いた基礎脚６０と、を締結している。つまり、支柱４３と、基礎脚６０の横向支持部６３ａとが締結されている。また、支柱４３と天板４１とは締結されていない。
【０１７４】
第２の条件では、支柱４３と、第１実施形態の変形例１に係る基礎脚６０とが締結されている。つまり、図１２、図１３に示すように、支柱４３と、基礎脚６０の第２上向支持部６１ｂ及び横向支持部６３ａとが締結されている。さらに、第２実施形態の図２０に示すように、第３支柱板４３ｃの角部４３ｃ−１と、天板４１の縁部板４１−２とが、締結部材７１ｃによって締結されている。
【０１７５】
第３の条件では、第２の条件と同様に、支柱４３と、基礎脚６０の第２上向支持部６１ｂ及び横向支持部６３ａとが締結されている。一方、第２の条件とは異なり、図１９に示すように、第３支柱板４３ｃの第１及び第２連結板４３ｃ−２、４３ｃ−３の上端と、天板４１の縁部板４１−２とが、締結部材７１ａ、７１ｂによって締結されている。
【０１７６】
捩れ評価試験は、第１実施形態と同様に図１８に示す外力を室外機２０に加えて行った。
【０１７７】
上記の捩れ評価試験の結果は、下記表３に示す通りである。
【０１７８】
【表３】
2016099039.tif 000005
【０１７９】
上記表３に示すように、室外機２０の捩れ変形量が２２．９ｍｍ（第１の条件）から１４．７ｍｍ、１４．４ｍｍ（第２、第３の条件）に低下している。つまり、第２、第３の条件の場合は、捩れ変形量が第１の条件に比べてそれぞれ３５．８％、３７．１％低下している。これは、支柱４３と基礎脚６０の第２上向支持部６１ｂとの締結に加え、支柱４３と天板４１とを締結している結果である。
【０１８０】
ここで、第１実施形態の表１によると、支柱４３と第２上向支持部６１ｂとを締結することで、捩れ変形量を２４．９％低下できる。また、第２実施形態の表２によると、支柱４３と天板４１とを締結することで、捩れ変形量を１４．８％〜１５．３％低下できる。そして、第３実施形態において第１実施形態と第２実施形態とを組み合わせることで、上記表３の通り、捩れ変形量を３５．８％〜３７．１％低下できる。この結果から、第３実施形態によれば、第１及び第２実施形態よりも室外機２０の捩れ変形量を低下できる。つまり、支柱４３と上向支持部（第１上向支持部６１ａ及び／又は第２上向支持部６１ｂ）とを締結し、さらに支柱４３と天板４１とを締結することで、室外機２０の捩れ変形量をさらに低下できる。
【０１８１】
なお、図１９において、支柱４３と天板４１の縁部板４１−２とは、締結部材７１ａ及び締結部材７１ｂのいずれか一方とのみ締結されてもよい。この時の捩れ評価試験の結果は、下記表４に示す通りである。
【０１８２】
第４の条件では、上記の第３の条件と同様に、支柱４３と、基礎脚６０の第２上向支持部６１ｂ及び横向支持部６３ａとが締結されている。一方、第３の条件とは異なり、第３支柱板４３ｃの第１連結板４３ｃ−２の上端と、天板４１の縁部板４１−２とが、締結部材７１ａによって締結されている。
【０１８３】
第５の条件では、上記の第３の条件と同様に、支柱４３と、基礎脚６０の第２上向支持部６１ｂ及び横向支持部６３ａとが締結されている。一方、第３の条件とは異なり、第３支柱板４３ｃの第１連結板４３ｃ−３の上端と、天板４１の縁部板４１−２とが、締結部材７１ｂによって締結されている。
【０１８４】
【表４】
2016099039.tif 000006
【０１８５】
上記の表３の第３の条件では、支柱４３と天板４１の縁部板４１−２とは、締結部材７１ａ及び締結部材７１ｂの両方と締結されている。一方、表４の第４、第５の条件の場合、支柱４３と天板４１の縁部板４１−２とは、締結部材７１ａ及び締結部材７１ｂのいずれか一方のみと締結されている。第３の条件と、第４、第５の条件とを比較した場合、室外機２０の捩れ変形量は同程度である。よって、支柱４３と天板４１の縁部板４１−２とが、締結部材７１ａ及び締結部材７１ｂのいずれか一方とのみ締結されていても、室外機２０の捩れ変形量を低下できていることが分かる。
【０１８６】
さらに、図２１において、支柱４３と天板４１とは、締結部材７１ｄ及び締結部材７１ｅのいずれか一方のみによって締結されていてもよい。この時の捩れ評価試験の結果は、下記表５に示す通りである。
【０１８７】
第６の条件では、上記の第３の条件と同様に、支柱４３と、基礎脚６０の第２上向支持部６１ｂ及び横向支持部６３ａとが締結されている。一方、第３の条件とは異なり、第１天板対向部４３ｆ−１及び第２天板対向部４３ｆ−２と、天板４１とが、締結部材７１ｄ及び締結部材７１ｅによって締結されている。
【０１８８】
第７の条件では、上記の第３の条件と同様に、支柱４３と、基礎脚６０の第２上向支持部６１ｂ及び横向支持部６３ａとが締結されている。一方、第６の条件とは異なり、第１天板対向部４３ｆ−１と、天板４１の天板面板４１−１とが、締結部材７１ｄによって締結されている。
【０１８９】
第８の条件では、上記の第３の条件と同様に、支柱４３と、基礎脚６０の第２上向支持部６１ｂ及び横向支持部６３ａとが締結されている。一方、第６の条件とは異なり、第２天板対向部４３ｆ−２と、天板４１の天板面板４１−１とが、締結部材７１ｅによって締結されている。
【０１９０】
つまり、上記の表３の第３の条件では、支柱４３と天板４１の縁部板４１−２とが、締結部材７１ａ及び締結部材７１ｂの両方により締結されている。一方、第６の条件では、支柱４３の第１及び第２天板対向部４３ｆ−１、４３ｆ−２と、天板４１の天板面板４１−１とが、締結部材７１ｄ及び締結部材７１ｅにより締結されている。第７、第８の条件では、支柱４３の第１及び第２天板対向部４３ｆ−１、４３ｆ−２のいずれか一方と、天板４１の天板面板４１−１とが、締結部材７１ｄ又は締結部材７１ｅにより締結されている。
【０１９１】
【表５】
2016099039.tif 000007
【０１９２】
第３の条件と、第６の条件とを比較した場合、室外機２０の捩れ変形量は同程度である。よって、支柱４３と、天板４１の縁部板４１−２又は天板面板４１−１のいずれかが締結されることで、室外機２０の捩れ変形量を低下できていることが分かる。
【０１９３】
また、第６の条件と、第７、第８の条件とを比較した場合、室外機２０の捩れ変形量は同程度である。よって、第１天板対向部４３ｆ−１又は第２天板対向部４３ｆ−２のいずれかと、天板４１とが、締結部材７１ｄ又は締結部材７１ｅによって締結されることで、室外機２０の捩れ変形量を低下できていることが分かる。
【０１９４】
＜その他の実施形態＞
（１）
上記第１、第３実施形態（図６〜図１１）では、基礎脚６０の４か所の全ての端部に、第１上向支持部６１ａが設けられている。そして、第１上向支持部６１ａと支柱４３とが締結されている。しかし、例えば、２本の基礎脚６０それぞれに、少なくとも１つの第１上向支持部６１ａが設けられており、その第１上向支持部６１ａと支柱４３とが締結されていてもよい。また、例えば、１本の基礎脚６０の１つの端部にのみ第１上向支持部６１ａが設けられていてもよい。ただし、多数の第１上向支持部６１ａと各支柱４３とが締結されている方が好ましい。なぜなら、複数個所において支柱４３を基礎脚６０に安定的に固定し、室外機２０の捩れ変形量を抑制できるからである。
【０１９５】
また、上記第１実施形態例の変形例１Ａ（図１２、図１３）では、基礎脚６０の４か所の全ての端部に、第２上向支持部６１ｂが設けられている。しかし、例えば、２本の基礎脚６０それぞれに少なくとも１つの第２上向支持部６１ｂが設けられており、その第２上向支持部６１ｂと支柱４３とが締結されていてもよい。また、例えば、１本の基礎脚６０の１つの端部にのみ第２上向支持部６１ｂが設けられていてもよい。ただし、多数の第２上向支持部６１ｂと各支柱４３とが締結されている方が、支柱４３を基礎脚６０に安定的に固定できる。さらに、基礎脚６０の横向支持部６３ａは任意に設けられていればよい。例えば、１本の基礎脚６０に少なくとも１つの横向支持部６３ａが設けられており、その横向支持部６３ａと支柱４３とが締結されていてもよい。あるいは、横向支持部６３ａは設けられていなくてもよい。
【０１９６】
また、上記第１実施形態例の変形例１Ｂ（図１４、図１５）では、基礎脚６０の４か所の全ての端部に、第２上向支持部６１ｂが設けられている。しかし、例えば、２本の基礎脚６０それぞれに、少なくとも１つの第２上向支持部６１ｂが設けられており、その第２上向支持部６１ｂと支柱４３とが締結されていてもよい。また、例えば、１本の基礎脚６０の１つの端部にのみ第２上向支持部６１ｂが設けられていてもよい。ただし、多数の第２上向支持部６１ｂと各支柱４３とが締結されている方が、支柱４３を基礎脚６０に安定的に固定できる。
【０１９７】
また、上記第１実施形態例の変形例１Ｃ（図１６、図１７）では、基礎脚６０の４か所の全ての端部に、第１及び第２上向支持部６１ａ、６１ｂがセットで設けられている。しかし、２本の基礎脚６０に、少なくとも１つの第１上向支持部６１ａ又は少なくとも１つの第２上向支持部６１ｂが設けられていればよい。つまり、少なくとも１つの基礎脚６０の端部に第１上向支持部６１ａが設けられ、少なくとも１つの基礎脚６０の端部に第２上向支持部６１ｂが設けられていればよい。例えば、第１及び第２上向支持部６１ａ、６１ｂのセットが基礎脚６０の１つの端部にのみ設けられ、基礎脚６０の他の端部にはセットが設けられていなくてもよい。また、例えば、基礎脚６０の１つの端部には、第１上向支持部６１ａのみが設けられ、基礎脚６０の他の端部には、第２上向支持部６１ｂのみが設けられていてもよい。
【０１９８】
（２）
上記第１〜第３実施形態では、第１上向支持部６１ａ、第２上向支持部６１ｂ及び横向支持部６３ａは概ね矩形状である。しかし、第１上向支持部６１ａ、第２上向支持部６１ｂ及び横向支持部６３ａの形状はこれに限定されず、例えば円形状、楕円状、三角形状及び台形状などの形状であってもよい。
【０１９９】
（３）
上記第１〜第３実施形態では、上吹きタイプの室外機２０を説明した。しかし、横吹きタイプなど多様なタイプの室外機２０に本発明を適用可能である。また、上記第１〜第３実施形態では、室外機２０における支柱４３の締結構造を説明した。しかし、室内機３０の支柱の締結においても上記締結構造を適用可能である。
【０２００】
（４）
上記実施形態の支柱４３は、第１〜第５支柱板４３ａ〜４３ｅ及び天板対向部４３ｆを含む。しかし、支柱４３が、第１上向支持部６１ａ及び第２上向支持部６１ｂの少なくとも１つと締結可能であればよく、支柱４３の形状はこれに限定されない。
【０２０１】
例えば、支柱４３は、第３支柱板４３ｃのみからなっていてもよい。この場合、第１上向支持部６１ａ及び／又は第２上向支持部６１ｂは、第３支柱板４３ｃと接触可能な位置に形成される。そして、第３支柱板４３ｃと、第１上向支持部６１ａ及び／又は第２上向支持部６１ｂと、が締結されることで、支柱４３が基礎脚６０に固定される。
【０２０２】
また、支柱４３は、天板対向部４３ｆが無くてもよい。
【０２０３】
（５）
基礎脚６０は、少なくとも第１上向支持部６１ａ又は第２上向支持部６１ｂを含んでいればよく、その他の構成は限定されない。例えば、上記実施形態では、端部上面部６２及び中央上面部６４が切り離されている。しかし、端部上面部６２及び中央上面部６４が一連の上面部を構成していてもよい。また、開口６５ａの位置及び数も上記実施形態に限定されず、多様に形成できる。
【産業上の利用可能性】
【０２０４】
本発明によれば、支柱の基礎脚への締結強度を向上可能であるので、支柱及び基礎脚を有するあらゆる冷凍装置ユニットに本発明を適用可能である。
【符号の説明】
【０２０５】
１０            空気調和機
２０            室外機
２０ａ          第１側面
２０ｂ          第２側面
２４            室外熱交換器
３０            室内機
４１            天板
４１−１        天板面板
４１−２        縁部板
４１−３        吹出口
４３            支柱
４３ａ          第１支柱板
４３ａ−１      第１支柱板状面
４３ｂ          第２支柱板
４３ｂ−１      第２支柱板状面
４３ｃ          第３支柱板
４３ｄ          第４支柱板
４３ｅ          第５支柱板
４３ｃ−１      角部
４３ｃ−２      第１連結板
４３ｃ−３      第２連結板
４４            空間
４９            底フレーム
６０            基礎脚
６１            底板
６１ａ          第１上向支持部
６１ａ―１      第１支持板状面
６１ａ−２      挿入孔
６１ｂ          第２上向支持部
６１ｂ―１      第２支持板状面
６１ｂ−２      挿入孔
６１ｂ−３      切り込み
６２            端部上面部
６２ａ          突出部
６３            端部側面部
６３ａ          横向支持部
６３ａ―１      横支持板状面
【先行技術文献】
【特許文献】
【０２０６】
【特許文献１】特開２０１３−１１３５６３号公報
【図１】
2016099039.tif 000008
【図２】
2016099039.tif 000009
【図３】
2016099039.tif 000010
【図４】
2016099039.tif 000011
【図５】
2016099039.tif 000012
【図６】
2016099039.tif 000013
【図７】
2016099039.tif 000014
【図８】
2016099039.tif 000015
【図９】
2016099039.tif 000016
【図１０】
2016099039.tif 000017
【図１１】
2016099039.tif 000018
【図１２】
2016099039.tif 000019
【図１３】
2016099039.tif 000020
【図１４】
2016099039.tif 000021
【図１５】
2016099039.tif 000022
【図１６】
2016099039.tif 000023
【図１７】
2016099039.tif 000024
【図１８】
2016099039.tif 000025
【図１９】
2016099039.tif 000026
【図２０】
2016099039.tif 000027
【図２１】
2016099039.tif 000028
【図２２】
2016099039.tif 000029